(57)【要約】      （修正有）【課題】性行為のマッサージ官職及び快感を増加させ、生産高を増加させるコンドームの構造の提供。【解決手段】一端に開口１１を有し、他端に精液溜め１２を有するコンドーム本体１を備えるコンドームの構造であって、前記コンドーム本体１の前端と精液溜め１２との間に直径が漸次縮小する錐部１３が形成されて、錐部１３の側縁面上に複数の凸柱２が環状設置されて構成され、及び錐部１３から単一直径で、かつ開口１１に連接される柱部１４が延設されて、錐部１３の側縁面上及び柱部１４の直線段上に複数の凸柱２が環状設置されて構成され、前記複数の凸柱２は、多層を呈して設置され、本体の錐部１３の表面及び柱部１４の表面に周配列されるように分布しており、なおかつ底層に位置する複数の凸柱２は、その他の層に比べてより密集していることを特徴とする。【選択図】図１
0003202564.tif 000002
【実用新案登録請求の範囲】
【請求項１】
主に、一端に開口を有し、他端に精液溜めを有するコンドーム本体と、側縁面と、直線段とを備えるコンドームの改良構造であって、
前記側縁面は、前記精液溜めに連設されると共に、前記側縁面の上に複数の凸柱が設置され、前記複数の凸柱は、多層を呈して周配列されるように分布しており、
前記直線段は、前記側縁面から延設されて前記開口に連接されると共に、前記直線段上に少なくとも１層の前記複数の凸柱が環設され、
前記複数の凸柱の設置により、性行為中に接触可能な部位を増加させると共に、性行為中のマッサージ感触及び快感を強化させることを特徴とする、コンドームの構造。
【請求項２】
当該凸柱は、短円柱形を呈し、その前端に内へ向けて陥凹するマッサージ頭部が並設されることを特徴とする、請求項１に記載のコンドームの構造。
【請求項３】
当該凸柱の付根部は、前記コンドーム本体の所在面上とほぼ垂直をなすことを特徴とする、請求項２に記載のコンドームの構造。
【請求項４】
当該凸柱は、前向きに傾斜して前記コンドーム本体と鋭角を形成することを特徴とする、請求項２に記載のコンドームの構造。
【請求項５】
当該凸柱の直径が０．３５〜０．６ｍｍであり、また長さが１〜２ｍｍであることを特徴とする、請求項１〜４のいずれか１項に記載のコンドームの構造。
【請求項６】
前記側縁面は、前記コンドーム本体と前記精液溜めとの間に形成される直径が漸次縮小する錐部であり、前記錐部は、前記複数の凸柱を設置するために供する前記コンドーム本体の前端の前記側縁面であることを特徴とする、請求項１〜４のいずれか１項に記載のコンドームの構造。
【請求項７】
前記直線段は、前記側縁面と前記開口との間に形成される単一直径の柱部であり、前記柱部は、前記側縁面から延設されて前記開口に連接される前記直線段であると共に、少なくとも１層の前記複数の凸柱が環設されることを特徴とする、請求項１〜４のいずれか１項に記載のコンドームの構造。
【考案の詳細な説明】
【技術分野】
【０００１】
本考案は、コンドームの構造に係り、特に、複数の凸柱が設置されるコンドームに関し、それは最適なマッサージ感触を提供することができるだけでなく、性行為の品質を向上させ、さらに性行為の進行時にマッサージ範囲を増加させ、さらに生産効率及び品質を向上させると共に、生産高を増加させるものである。
【背景技術】
【０００２】
従来、最も主要な機能が避妊であるコンドームは、紀元前１０００年頃の古代エジプト人が、かつて羊または豚の腸膜を用いて作ったものであるとされている。その構造は、いくつかの改良を経て、１８４２年に米国では、いわゆる現在のラテックス製コンドームの前身として、硫黄で処理されたゴムを用いる方法が発明された。その後、１９９８年に流行した世紀黒死病と恐れられた「エイズ」は、全世界を巻き込む本格的大恐慌を招き、コンドームの使用量需要が激増することになる。
【０００３】
コンドームは、避妊及びエイズ隔離などの性行為の安全を保障することができるが、「歯がゆい思い」のような感覚のように、多くの人は往々にして着用に嫌悪感を抱く傾向にあり、そのため、業界においては、各種の螺旋状または顆粒状などの異なるタイプの雰囲気のあるコンドームの開発が望まれており、例えば特許文献１〜３のようなコンドームが挙げられる。
【０００４】
台湾実用新案登録第Ｍ３２３２９２号明細書のコンドームは、シリカゲル製で、かつ亀頭形状を呈するコンドーム頭と、コンドーム膜とから一体成形され、コンドーム頭の内部が中空を呈し、精液装填する空間に形成されると同時に、コンドーム頭は、一般のコンドームの前端の膜厚に比べて厚さが大きいため、比較的に破損しにくくなり、かつコンドーム頭の外表面に多数個の凸起状の顆粒が形成されて刺激を増加させることができる。
【０００５】
台湾実用新案登録第Ｍ３６４５０９号明細書の本考案は、コンドームの構造に関し、スリーブ体と、実質突起物と、貯留空間とから成り、主に、スリーブ体の前端に貯留空間が設けられると共に、貯留空間の末端に１個以上の実質突起物が設けられて摩擦と刺激感を増加させ、その前記貯留空間は、精液を集積し、コンドームの構造が完成し、これにより、男女双方が性生活を楽しめながら、性行為の雰囲気を増進させるように促し、かつ依然として避妊と性病予防する機能を保有する。
【０００６】
また、台湾実用新案登録第Ｍ３０４９９９号明細書のコンドームは、一端に開口を有し、他端に精液溜めを有するコンドーム本体を備えるものであって、前記コンドーム本体の外表面に１層の突粒状を有するナノ軟質ラテックス膜が接合されると共に、前記コンドーム本体と前記ナノ軟質ラテックス膜の突粒状との間に現像剤が充填され、その中、前記現像剤と滲み込む液体との混合反応後に、液体成分に基づいて相対応する色が生成されることを特徴としている。
【先行技術文献】
【特許文献】
【０００７】
【特許文献１】台湾実用新案登録第Ｍ３２３２９２号明細書
【特許文献２】台湾実用新案登録第Ｍ３６４５０９号明細書
【特許文献３】台湾実用新案登録第Ｍ３０４９９９号明細書
【考案の概要】
【考案が解決しようとする課題】
【０００８】
ただ、前述した周知のコンドームは、台湾実用新案登録第Ｍ３６４５０９号明細書または台湾実用新案登録第Ｍ３０４９９９号明細書のコンドームの構造のように、いずれもコンドーム本体の外表面に突粒状を有するが、コンドームを男性の陰茎に容易に装着するため、通常、包装時にコンドーム本体の開口から巻き上げることにより、円形薄片状に形成され、そのため、巻上成型時に、突粒状によりコンドーム本体に意外な張力がかかると変形してしまい、甚だしい場合は破損するになるので、生産効率及び品質の低下につながるおそれがある。もし円形薄片状に巻き上げなければ、男性の陰茎に装着することが困難であり、使用の不便を招来することになる。
【０００９】
そこで、本考案者は、上述した周知のコンドームの種々の欠点に鑑みて、知恵を絞り出し、改良創作した結果、コンドームの構造を提出するに至った。
【課題を解決するための手段】
【００１０】
本考案は、主に、一端に開口を有し、他端に精液溜めを有するコンドーム本体を備えるコンドームの構造であって、前記コンドーム本体の前端と精液溜めとの間に直径が漸次縮小する錐部が形成されて、錐部の側縁面上に複数の凸柱が環状設置されて構成され、前記複数の凸柱は、多層を呈して設置され、本体の錐部の表面に周配列されるように分布しており、なおかつ底層に位置する複数の凸柱は、その他の層に比べてより密集しており、直線段は、前記側縁面から延設されて前記開口に連接されると共に、前記直線段上に少なくとも１層の複数の凸柱が環設されることを特徴としている。
【考案の効果】
【００１１】
従って、それは最適なマッサージ感触を提供することができるだけでなく、マッサージ範囲を増加させ、さらに生産効率及び品質を向上させると共に、生産高を増加させることができる。
【図面の簡単な説明】
【００１２】
【図１】本考案の斜視図である。
【図２】本考案の平面図である。
【図３】本考案の凸柱が錐部の表面に垂直であることを示す局部断面図である。
【図４】本考案の凸柱の前向きの傾斜を示す局部断面図である。
【図５】本考案の凸柱が柱部の表面に垂直であることを示す局部断面図である。
【図６】本考案の未使用時の状態を示す模式図である。
【考案を実施するための形態】
【００１３】
説明の便宜上、本考案の内容及びそれが達成できる作用効果については、添付図面を参照しながら、本考案を具体的な実施例を挙げて以下のように詳細に説明する。
【００１４】
図１〜図３を参照し、これらの図に示すように、本考案に係るコンドームの構造は、主に、一端に開口１１を有し、他端に精液溜め１２を有するコンドーム本体１を備えるものであって、前記コンドーム本体１の前端と精液溜め１２との間に直径が漸次縮小する錐部１３が形成され、及び錐部１３から単一直径で、かつ開口１１に連接される柱部１４が延設されて、錐部１３の側縁面上に複数の凸柱２が多層を呈して周配列されて設置され、及び柱部１４の直線段上に少なくとも１層の複数の凸柱２が環設されて構成されることを特徴としている。
【００１５】
前記複数の凸柱２は、短柱形を呈するように設けられてもよく、その直径が０．３５〜０．６ｍｍであり、また長さが１〜２ｍｍであることが好ましい。実施時、前記複数の凸柱２は、コンドーム本体１の錐部１３に周配列されるように分布しており、及び柱部１４の表面に多層を呈して設置され、かつ底層に位置する複数の凸柱２は、その他の層に比べてより密集している。ほかに、凸柱２の前端に内へ向けて陥凹するマッサージ頭部２１が設けられ、また凸柱２の付根部２２は、コンドーム本体１の所在面上とほぼ垂直をなし（図３及び図５参照）、または凸柱２は、前向きに傾斜して鋭角を形成し（図４参照）、これによって前記コンドーム本体１上の多層で、かつ間隔おきに設置される複数の凸柱２全体は、放射状を呈して種々の配慮が行き届いている。組成されるコンドーム本体１は、従来構造と異なって、それは最適なマッサージ感触を提供することができるだけでなく、さらに分布の位置を増加させるため、性行為時のマッサージ範囲を増加させることができる。
【００１６】
応用時、コンドーム本体１を開口１１から巻き上げることにより、その錐部１３の凸柱２を開口１１に丁度配置させ、男性の陰茎に容易に装着することができ、また陰茎の直径に応じてコンドーム本体１上の多層の複数の凸柱２を適当に大きくすることができ、または性行為の進行時に、適当な長さの複数の凸柱２を有するコンドーム本体１、及び凸柱２の前端にも内へ向けて陥凹するように設けられるマッサージ頭部２１を利用することから、女性の膣壁、陰核を摩擦して性行為の雰囲気・快感を増加させるのみならず、同時に夫婦の性生活の幸福・円満を増進させることができる。
【産業上の利用可能性】
【００１７】
上記の詳細な説明は、本考案の実施可能な実施例についての具体的な説明であり、但し、前記実施例は、本考案の実用新案登録請求の範囲になんら制限を加えるものではない。本考案の技芸精神を逸脱しない限り、その等効果の実施又は変更は、なお、本願の実用新案登録請求の範囲に含まれるものとする。
【００１８】
以上の説明をまとめると、本考案は、空間形態上、確かに斬新な創作であるのみならず、並びに周知の物品に比べて上述の多項の作用効果を増進させることができ、その具備する新規性と進歩性は明らかに実用新案の法的出願要件を満たすものなので、実用新案法の規定に従って、実用新案登録出願を提出する。どうか  貴殿が、考案を奨励するために本件考案の実用新案登録出願案の権利を付与するように、ご厚意に深く深く感謝申し上げます。
【符号の説明】
【００１９】
１    コンドーム本体
１１  開口
１２  精液溜め
１３  錐部
１４  柱部
２    凸柱
２１  マッサージ頭部
２２  付根部
【図１】
0003202564.tif 000003
【図２】
0003202564.tif 000004
【図３】
0003202564.tif 000005
【図４】
0003202564.tif 000006
【図５】
0003202564.tif 000007
【図６】
0003202564.tif 000008